(57)【要約】【課題】紙送り速度を上げた場合でも過大な紙送り負荷が紙送りローラに作用することの無いロール紙プリンタを提案すること。【解決手段】ロール紙プリンタ１のロール紙収納部１１にはロール紙繰り出し機構８０が備わっている。ロール紙繰り出し機構８０はロール紙収納部１１の湾曲底面部分１１ｂに配置した繰り出しローラ８１を備え、この繰り出しローラ８１は、紙送りモータ３６によって駆動される後側紙送りローラ３４に連動して回転駆動され、紙送り時にはロール紙収納部１１のロール紙１２をその中心軸線回りに回転させ、後側紙送りローラ３４に作用するロール紙１２の慣性負荷を低減する。紙送り時の記録紙の繰り出し動作に追従できずにロール紙１２が浮き上がることも回避できるので、浮き上がりに起因して過大が負荷が後側紙送りローラ３４に作用して記録紙１２ａが滑り、紙送り精度が低下してしまうことがない。【選択図】図６
2007203563.tif 000002
【特許請求の範囲】
【請求項１】
ロール紙が転動可能な状態で収納されるロール紙収納部と、
前記ロール紙収納部に収納されたロール紙の外周面に当接可能な位置に配置されている繰り出しローラと、
印字ヘッドと、
前記ロール紙収納部のロール紙から繰り出された長尺状の記録紙を、前記印字ヘッドによる印字位置を経由させて搬送するための紙送りローラと、
前記紙送りローラに連動させて前記繰り出しローラを回転させるローラ連動機構とを有していることを特徴とするロール紙プリンタ。
【請求項２】
請求項１に記載のロール紙プリンタにおいて、
前記ローラ連動機構は、
前記紙送りローラのローラ軸に同軸状に固定した駆動側プーリと、前記繰り出しローラのローラ軸に同軸状に固定した従動側プーリと、これら駆動側プーリおよび従動側プーリの間に架け渡したベルトとを備えていることを特徴とするロール紙プリンタ。
【請求項３】
ロール紙プリンタのロール紙収納部に転動可能な状態で収納されているロール紙から長尺状の記録紙を繰り出すためのロール紙繰り出し機構であって、
前記ロール紙収納部に収納されたロール紙の外周面に当接可能な位置に配置されている繰り出しローラと、
前記ロール紙収納部のロール紙から繰り出された長尺状の記録紙を印字位置を経由させて搬送するための紙送りローラに連動させて、前記繰り出しローラを回転させるローラ連動機構とを有していることを特徴とするロール紙プリンタのロール紙繰り出し機構。
【請求項４】
請求項３に記載のロール紙繰り出し機構において、
前記ローラ連動機構は、
前記紙送りローラのローラ軸に同軸状に固定した駆動側プーリと、前記繰り出しローラのローラ軸に同軸状に固定した従動側プーリと、これら駆動側プーリおよび従動側プーリの間に架け渡したベルトとを備えていることを特徴とするロール紙プリンタのロール紙繰り出し機構。
【発明の詳細な説明】
【技術分野】
【０００１】
本発明は、ロール紙収納部に転動可能な状態で収納されているロール紙から繰り出される長尺状の記録紙に印字を行うロール紙プリンタに関するものである。更に詳しくは、紙送りローラに作用する紙送り負荷を低減し、精度良く紙送りを行うことのできるロール紙プリンタのロール紙繰り出し機構に関するものである。
【背景技術】
【０００２】
レシートなどを発行するロール紙プリンタでは、記録媒体として、長尺状の記録紙をロール状に巻き付けた構成のロール紙が用いられる。ロール紙は転動可能な状態でロール紙収納部に収納され、紙送りローラによって、ロール紙から記録紙が引き出されて、印字位置において印字ヘッドによって印字が施される。一般に、紙送りローラによる紙送りと、印字ヘッドによる印字が交互に繰り返されて、紙送り方向に沿って所定のピッチで印字が施される。
【０００３】
ロール紙はロール紙収納部の底面上に転動可能な状態で置かれている。紙送りローラによって記録紙が搬送方向に引かれると、それに追従して、ロール紙がロール紙収納部内においてその中心軸線回りに回転して記録紙が繰り出される。ロール紙の慣性負荷、および、ロール紙とロール紙収納部の底面との間の摩擦力に抗して、ロール紙を回転させて記録紙を繰り出す必要がある。このような紙送り負荷が作用しても記録紙を滑り無く送り出すことができるように、紙押えローラによって所定の押圧力で記録紙が紙送りローラに押し付けられている。
【０００４】
なお、紙送り負荷の増減に影響されることなくロール紙を送り出すことを目的とした先行技術文献として特許文献１がある。ここには、繰出リールにロール紙が回転自在に支持される大型のプリンタにおいて、ロール紙を精度良く円滑に送るために、ロール紙を所定の弾性力で押圧して屈曲状態に保持し、紙送り初期に作用するテンションを緩和させるバッファ手段が開示されている。また、特許文献２には、繰出しローラのローラ径のバラツキ、ロール径などの外的変動要因による影響を受けることなく、記録紙を正確に送り出すことを目的としたロール紙給紙装置が開示されている。
【特許文献１】特開２００３−１９２２０２号公報
【特許文献２】特開平７−３３２９５号公報
【発明の開示】
【発明が解決しようとする課題】
【０００５】
ここで、紙送り速度を上げると、それに伴って紙送りローラに作用する紙送り負荷も大きくなる。記録紙を滑り無く搬送するためには、より大きな押圧力で紙押えローラを紙送りローラに押圧する必要がある。押圧力を高くすると、紙送りローラを回転駆動するための紙送りモータの負荷トルクが増加するので、トルク容量の高い紙送りモータを用いる必要がある。また、大きな押圧力が作用するので、紙送りローラおよび紙押えローラの耐久性が低下するおそれもある。
【０００６】
次に、ロール紙プリンタでは上記のように印字動作と紙送り動作が交互に行われる。すなわち、紙送りローラによる紙送り動作が間欠的に行われる。ロール紙が繰出リールなどの支軸によってその巻き芯を中心として回転自在の状態で支持されておらず、単に、ロール紙収納部の底面に転動可能な状態で置かれている場合には、紙送り速度を上げると、紙送りローラによる記録紙の引き出し動作に追従してロール紙が回転できずに、ロール紙が全体としてロール紙収納部の底面から浮き上がるおそれがある。
【０００７】
浮き上がったロール紙が再びロール紙収納部の底面に落下する際には、ロール紙の自重が、そこから繰り出される記録紙に対して、搬送方向とは逆方向に引張る引張り力として作用する。ロール紙の落下と、紙送りローラによる記録紙の次の引き出し動作（紙送り動作）とが重なると、紙送りローラには一時的に過大な紙送り負荷が作用し、紙送りローラと記録紙の間に滑りが発生し、正確な量の紙送りを行うことができない。
【０００８】
本発明の課題は、このような問題点に鑑みて、紙送りローラに作用する紙送り負荷を低減可能なロール紙繰り出し機構を備えたロール紙プリンタを提案することにある。
【課題を解決するための手段】
【０００９】
上記の課題を解決するために、本発明のロール紙プリンタは、
ロール紙が転動可能な状態で収納されるロール紙収納部と、
前記ロール紙収納部に収納されたロール紙の外周面に当接可能な位置に配置されている繰り出しローラと、
印字ヘッドと、
前記ロール紙収納部のロール紙から繰り出された長尺状の記録紙を、前記印字ヘッドによる印字位置を経由させて搬送するための紙送りローラと、
前記紙送りローラに連動させて前記繰り出しローラを回転させるローラ連動機構とを有していることを特徴としている。
【００１０】
本発明のロール紙プリンタでは、ローラ連動機構によって紙送りローラと連動する繰り出しローラがロール紙収納部に配置されており、当該繰り出しローラがロール紙の外周面に当接している。紙送りローラによる紙送り時には繰り出しローラも連動して回転する。繰り出しローラを、ロール紙から記録紙を繰り出す方向に回転させることにより、紙送り時にはロール紙が記録紙送り出し方向に回転する。
【００１１】
よって、紙送り時におけるロール紙を回転させるための慣性負荷が大幅に低減され、紙送りローラに作用する紙送り負荷も大幅に低減される。この結果、紙送り速度を上げた場合においても紙送り力も小さくて済み、紙押えローラによる押圧力も小さくて済むので、紙送りモータのトルクが小さくて良く、また、紙送りローラおよび紙押えローラの耐久性も改善される。さらに、紙送り時に、ロール紙がロール紙収納部の底面から浮き上がってしまうことが無いので、過大な紙送り負荷が作用して紙送り精度が低下するという弊害も回避できる。
【００１２】
ここで、前記ローラ連動機構として、前記紙送りローラのローラ軸に同軸状に固定した駆動側プーリと、前記繰り出しローラのローラ軸に同軸状に固定した従動側プーリと、これら駆動側プーリおよび従動側プーリの間に架け渡したベルトとを備えたものを採用することができる。このようにすれば、既存の紙送り機構の構成部品である紙送りローラのローラ軸に駆動側プーリを取り付けて、そこにベルトを架けるという簡単な構成により、ローラ連動機構を簡単に構成できる。
【００１３】
次に、本発明は、ロール紙プリンタのロール紙収納部に転動作可能な状態で収納されているロール紙から長尺状の記録紙を繰り出すためのロール紙繰り出し機構であって、
前記ロール紙収納部に収納されたロール紙の外周面に当接可能な位置に配置されている繰り出しローラと、
前記ロール紙収納部のロール紙から繰り出された長尺状の記録紙を印字位置を経由させて搬送するための紙送りローラに連動させて、前記繰り出しローラを回転させるローラ連動機構とを有していることを特徴としている。
【００１４】
ここで、前記ローラ連動機構は、前記紙送りローラのローラ軸に同軸状に固定した駆動側プーリと、前記繰り出しローラのローラ軸に同軸状に固定した従動側プーリと、これら駆動側プーリおよび従動側プーリの間に架け渡したベルトとを備えていることを特徴としている。
【発明の効果】
【００１５】
本発明のロール紙プリンタでは、ロール紙収納部に収納されたロール紙をその中心軸線回りに回転させるための繰り出しローラを配置し、この繰り出しローラを紙送りローラに連動させて回転駆動するようにしている。
【００１６】
したがって、紙送り時に紙送りローラに作用する紙送り負荷を大幅に低減できるので、滑り防止のために大きな押圧力で記録紙を紙送りローラに押し付ける必要がない。大きな押圧力が作用しないので、これらのローラの耐久性を改善でき、また、紙送りモータのトルク容量も大きくする必要がない。
【００１７】
また、紙送り時にロール紙がロール紙収納部の底面から浮き上がることも防止できるので、浮き上がりに起因して紙送りローラに過大な紙送り負荷が作用して、紙送りローラと記録紙の間に滑りが生ずることも無い。よって、紙送り精度の低下を防止できる。
【００１８】
このような本発明のロール紙プリンタによって得られる作用効果は、紙送り速度を早くした場合に顕著である。
【発明を実施するための最良の形態】
【００１９】
以下に、図面を参照して、本発明を適用したロール紙プリンタの実施の形態を説明する。
【００２０】
（プリンタ全体構成）
図１は本発明を適用したインクジェット式のロール紙プリンタの外観斜視図であり、図２はその開閉蓋を全開にした状態の外観斜視図である。本例のロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。
【００２１】
蓋開閉レバー６を操作すると開閉蓋３のロックが解除される。排紙ガイド５を前方に引くと、図２に示すように、開閉蓋３が下端部を中心として前方にほぼ水平となるまで開く。開閉蓋３が開くと、プリンタ内部に形成されているロール紙収納部１１が開放状態となり、同時に、ロール紙収納部１１から記録紙排出口４に到る記録紙搬送経路が開放状態となり、プリンタ前方からロール紙の交換作業などを簡単に行うことができるようになっている。
【００２２】
また、開閉蓋３の右隣にも開口部２ｃが形成されており、ここには、下端を中心として開閉可能な開閉蓋７が取り付けられている。この開閉蓋７を開けると、インク供給部であるインクカートリッジ装填部１８が開放状態となり、インクカートリッジの交換などを行うことができる。開閉蓋３の左隣は操作面２ｄとなっており、ここには、状態表示ランプ、ペーパーフィードボタンなどが配列されている。
【００２３】
（プリンタ内部構成）
図３はロール紙プリンタ１における外装ケース２ａに内蔵されているプリンタ機構部を示す斜視図であり、図４はプリンタ機構部を前後方向に切断した場合の概略縦断面図である。プリンタ機構部１０は、その幅方向の中央部分にロール紙収納部１１を備えており、このロール紙収納部１１にはロール紙１２がプリンタ幅方向に向いた横置き状態で収納されるようになっている。すなわち、ロール紙収納部１１は、ロール紙１２より僅かに広幅であり、その底面は、プリンタ前後方向の中央が最も深くなった湾曲状の底板１１ａによって規定されている。この底板１１ａの前後の湾曲底面部分１１ｂ、１１ｃに、ロール紙１２の前後の外周面部分１２ｂ、１２ｃが当接した状態で、ロール紙１２が転動可能な状態で置かれる。
【００２４】
ロール紙収納部１１の上側には、ヘッドユニット１３が水平に取り付けられている。ヘッドユニット１３はヘッドユニットフレーム１４を備え、このヘッドユニットフレーム１４の左右の側板部分１４ａ、１４ｂの間にはキャリッジガイド軸１５が水平に架け渡されている。キャリッジガイド軸１５に沿って、インクジェットヘッド１６が下向き状態で搭載されているキャリッジ１７が往復移動可能となっている。
【００２５】
図３に示すように、ロール紙収納部１１の右隣におけるヘッドユニット１３の右側部分の下側部位には、インクカートリッジ装填部１８およびヘッドメンテナンスユニット２０が配置されている。下側に配置されているインクカートリッジ装填部１８には不図示のインクカートリッジを装着可能である。上側に配置されているヘッドメンテナンスユニット２０は、公知のヘッドメンテナンスユニットと同様に、インクジェットヘッド１６のノズル面を払拭するためのワイパおよびノズル面の各ノズルから吐出あるいは排出された廃インクを回収するための回収部（図示せず）が備わっている。ロール紙収納部１１の左隣におけるヘッドユニット１３の左側部分の下側部位は、制御基板（図示せず）が装着されている基板装着部２２となっている。
【００２６】
図４に示すように、プリンタ機構部１０の内部においては、ロール紙収納部１１とヘッドユニット１３の間における後側の部位に、プリンタ幅方向に沿って記録紙ガイド３２が水平に配置されている。記録紙ガイド３２の前側には、一段高い位置においてプリンタ前後方向に水平に、プラテンガイド３３が配置されている。プラテンガイド３３の真上には、キャリッジ１７に搭載されたインクジェットヘッド１６が配置されている。インクジェットヘッド１６のノズル面１６ａは、プラテンガイド３３の上面３３ａに対して一定のギャップで対峙しており、当該上面３３ａによって印字位置が規定されている。
【００２７】
印字位置を規定しているプラテンガイド３３と、記録紙ガイド３２との間には、後側紙送りローラ３４がプリンタ幅方向に水平に架け渡されている。後側紙送りローラ３４には下側から所定幅の後側紙押えローラ３５が所定の押圧力で押し付けられている。プラテンガイド３３における前端側の部位には、前側紙送りローラ３７が配置されている。前側紙送りローラ３７には、上側から前側紙押えローラ３８が押し付けられている。後側紙送りローラ３４および前側紙送りローラ３７は、ヘッドユニット１３に搭載されている紙送りモータ３６によって駆動される。
【００２８】
キャリッジ１７は、キャリッジモータ３９およびタイミングベルト４０を備えたキャリッジ搬送機構によって、プリンタ幅方向（印字幅方向）に往復移動される。キャリッジ１７を往復移動させながら、そこに搭載されているインクジェットヘッド１６により、ロール紙１２から繰り出されて印字位置に位置している記録紙１２ａの部分の表面に印字が行われる。記録紙１２ａの幅方向への一連の行印字が終了した後は、後側紙送りローラ３４および前側紙送りローラ３７が回転駆動されて、所定ピッチだけ記録紙１２ａが送り出される。この後に、次の行印字が行われる。このように、記録紙１２ａは、所定ピッチで間欠的に送り出されながらインクジェットヘッド１６によって印字が施される。
【００２９】
キャリッジ１７にはインクダンバ４１が搭載されており、ここには、可撓性のインクチューブ４２が接続されている。インクチューブ４２を介して、インクカートリッジ装填部１８に装着されているインクカートリッジから各色のインクがインクジェットヘッド１６に供給され、インクジェットヘッド１６によりフルカラー印刷を行うことが可能となっている。
【００３０】
印字後の記録紙１２ａが排出される記録紙排出口４には、鋏式の記録紙切断装置４４が配置されている。記録紙切断装置４４の固定刃４５は上向き状態で垂直に配置されており、その可動刃４６は下向きで垂直に配置されている。可動刃駆動機構４７によって可動刃４６がプリンタ幅方向の一方の端を支点として上下方向に旋回すると、固定刃４５との接触点がプリンタ幅方向に移動して、これらの間に位置する記録紙１２ａを幅方向に切断できる。
【００３１】
ここで、開閉蓋３には、その蓋フレーム５１に、プラテンガイド３３、記録紙ガイド３２、後側紙押えローラ３５、前側紙送りローラ３７、および固定刃４５が搭載されている。また、蓋フレーム５１の前端には、蓋開閉レバー６および排紙ガイド５が取り付けられている。開閉蓋３は、例えば平行リンク機構によって、水平状態を保持したまま開閉するように構成されている。
【００３２】
開閉蓋３を開けると、ロール紙収納部１１のロール紙出し入れ用の開口部２ｂが開放状態になると共に、ロール紙収納部１１から記録紙排出口４に到る記録紙搬送経路が開放状態になる。したがって、ロール紙収納部１１にロール紙１２を収納し、ロール紙１２から記録紙１２ａを所定の長さだけ引き出し、しかる後に開閉蓋３を閉じると、図４において太い一点鎖線で示すように、ロール紙収納部１１に収納されているロール紙１２から引き出された記録紙１２ａが、記録紙ガイド３２によってガイドされ、後側紙送りローラ３４および後側紙押えローラ３５の間からプラテンガイド３３の上面３３ａ（印字位置）を経由して前側紙送りローラ３７および前側紙押えローラ３８の間を通って記録紙排出口４から外部に引き出された記録紙セット状態が形成される。
【００３３】
この状態で後側紙送りローラ３４および前側紙送りローラ３７が回転すると、記録紙１２ａの搬送が開始される。記録紙１２ａが所定ピッチで間欠的に搬送され、インクジェットヘッド１６によって印字位置を通過する記録紙１２ａの表面に印字が行われる。所定の印字が終了した後は、例えば、印字後の記録紙１２ａの部分を記録紙排出口４から排出し、記録紙切断装置４４によって記録紙１２ａの印字部分の後端位置が切断され、所定長さの印字済みの記録紙片が発行される。
【００３４】
（紙送り動力伝達系）
次に、図５はプリンタ機構部１０の一部を省略して示す斜視図であり、紙送りモータの動力伝達系以外のヘッドユニット部分、左右のインクカートリッジ装着部、ヘッドメンテナンスユニットおよび基板装着部を取り外した状態で示してある。この図を参照して、紙送りモータ３６の回転を後側紙送りローラ３４および前側紙送りローラ３７に伝達する紙送り動力伝達系を説明する。
【００３５】
紙送りモータ３６の回転は、ベルト・プーリ式の伝達機構７１を介して、後側紙送りローラ３４のローラ軸３４ａの端部に伝達される。ローラ軸３４ａにおける反対側の軸部分には、同軸状態で駆動側歯車７２が取り付けられている。
【００３６】
開閉蓋３の側には、その蓋フレーム５１の側部に、従動側歯車７３が回転自在の状態で取り付けられている。従動側歯車７３は開閉蓋３を閉じると、僅かに回転しながら駆動側歯車７２と噛み合った状態になる。また、蓋フレーム５１の側部には、従動側歯車７３の前側の位置からプリンタ前方に向けて配列された伝達歯車列７４が配置されている。この伝達歯車列７４の最終段の伝達歯車が、開閉蓋３に取り付けられている前側紙送りローラ３７のローラ軸３７ａ（図４参照）の軸端部に同軸状態で固定されている。
【００３７】
開閉蓋３を閉じると、印字位置（３３ａ）を挟み、紙送り方向の前後の位置において、前側紙送りローラ３７と前側紙押えローラ３８の間、および、後側紙送りローラ３４と後側紙押えローラ３５の間に、それぞれ記録紙１２ａが挟まれた状態が形成される。同時に、駆動側歯車７２に従動側歯車７３が噛み合い、紙送りモータ３６の回転力を前側紙送りローラ３７に伝達するための伝達経路が形成される。
【００３８】
（ロール紙繰り出し機構）
本例のロール紙プリンタ１では、紙送り動作に連動して、ロール紙収納部１１に収納されているロール紙１２をその中心軸線回りに回転させるロール紙繰り出し機構が備わっている。図６はロール紙繰り出し機構を示す説明図である。図４、図５および図６を参照して、本例のロール紙繰り出し機構を説明する。
【００３９】
ロール紙繰り出し機構８０は、ロール紙収納部１１に配置された繰り出しローラ８１と、この繰り出しローラ８１を後側紙送りローラ３４に連動させて回転駆動するためのローラ連動機構８２とを備えている。繰り出しローラ８１は、ロール紙収納部１１の底板１１ａにおける前側の湾曲底面部分１１ｂに、プリンタ幅方向に沿って水平に配置されている。繰り出しローラ８１は、ゴムローラなどのような摩擦係数の高い材質からなるローラである。繰り出しローラ８１の外周面は湾曲底面部分１１ｂから僅かに上方に突出しており、ロール紙収納部１１に収納されたロール紙１２の外周面部分１２ｂに常に当接している。
【００４０】
繰り出しローラ８１のローラ軸８３の両軸端は、ロール紙収納部１１の左右の側板部分５５、５６（図５参照）に回転自在の状態で支持されている。側板部分５５から側方に突出しているローラ軸８３の軸端部には、従動側プーリ８４が同軸状態で固定されている。上述した後側紙送りローラ３４のローラ軸３４ａには駆動側プーリ８５が同軸状態で固定されている。駆動側プーリ８５は、プリンタ幅方向においては従動側プーリ８４に対応する位置に配置されている。これら駆動側プーリ８５と従動側プーリ８４の間には、タイミングベルト８６が所定の張力状態で架け渡されている。これら駆動側プーリ８５、タイミングベルト８６および従動側プーリ８４からなるローラ連動機構８２によって、繰り出しローラ８１が後側紙送りローラ３４に連動して回転駆動される。
【００４１】
次に、この構成のロール紙繰り出し機構８０の作用効果を説明する。印字中において所定ピッチずつ記録紙１２ａが間欠的に送り出される。この紙送り時に、紙送りモータ３６によって、後側紙送りモータ３４および前側紙送りモータ３７が回転すると、ロール紙収納部１１に収納されているロール紙１２から記録紙１２ａが引き出される。
【００４２】
ロール紙１２は、ロール紙収納部１１の湾曲底面部分１１ｂに配置されている繰り出しローラ８１に乗っている。繰り出しローラ８１はローラ連動機構８２によって後側紙送りローラ３４と連動して回転する。したがって、紙送り時には繰り出しローラ８１が回転して、そこに乗っているロール紙１２が、その中心軸線を中心として、そこから記録紙１２ａが繰り出される方向に回転する。
【００４３】
ここで、後側紙送りローラ３４による紙送り量に対応する量だけ記録紙１２ａが繰り出されるように設定されている。すなわち、かかる繰り出し分だけロール紙１２が回転するように、繰り出しローラ８１の回転量が設定されている。このためには、ローラ連動機構８２の速比、繰り出しローラ８１の外径などを適切に設定すればよい。
【００４４】
このように、紙送り時には、繰り出しローラ８１によってロール紙１２が記録紙繰り出し方向に回転する。したがって、ロール紙１２から記録紙１２ａを繰り出す際の慣性負荷が紙送り負荷となって後側紙送りローラ３４に作用することが殆どない。よって、後側紙送りローラ３４に作用する紙送り負荷が大幅に低減される。
【００４５】
このため、紙送り速度を上げ、紙送りの間欠駆動間隔を狭めた場合においても、滑り防止のために、後側紙送りローラの紙送り力を大きくする必要がない。よって、後側紙押えローラ３５による押圧力を増加させなくて済むので、紙送りモータ３６のトルクを上げる必要がなく、また、後側紙送りローラ３４および後側紙押えローラ３５の耐久性が低下することも回避できる。
【００４６】
さらに、紙送り時に、ロール紙１２が、そこからの記録紙繰り出し動作に追従して回転できずに、ロール紙収納部１１の底板１１ａから浮き上がってしまうことも回避できる。浮き上がったロール紙１２が落下する際に、次の紙送りが重なると、ロール紙１２の自重が紙送り負荷となって作用するので、後側紙送りローラ３４には一時的に過大な負荷が作用し、記録紙１２ａに滑りが発生して、精度良く紙送りを行うことができなくなる。本例では、ロール紙１２の浮き上がりが発生しないので、このような過大が紙送り負荷が作用して記録紙１２ａが滑り、紙送り精度が低下するという弊害が発生しない。
【００４７】
（その他の実施の形態）
なお、上記の例はインクジェット式のロール紙プリンタであるが、本発明は、サーマルヘッドなど各種の印字ヘッドを備えたロール紙プリンタにも同様に適用可能である。
【図面の簡単な説明】
【００４８】
【図１】本発明を適用したロール紙プリンタの外観斜視図である。
【図２】開閉蓋を開いた状態のロール紙プリンタの外観斜視図である。
【図３】ロール紙プリンタのプリンタ機構部を示す斜視図である。
【図４】プリンタ機構部の概略縦断面図である。
【図５】プリンタ機構部を、一部を省略した状態で示す斜視図である。
【図６】ロール紙繰り出し機構を示す説明図である。
【符号の説明】
【００４９】
１  ロール紙プリンタ、２  プリンタ本体、３  開閉蓋、４  記録紙排出口、１１  ロール紙収納部、１１ａ  底板、１１ｂ，１１ｃ  湾曲底面部分、１２  ロール紙、１２ａ  記録紙、１２ｂ，１２ｃ  外周面部分、１３  ヘッドユニット、３３  プラテンガイド、３４  後側紙送りローラ、３４ａ  ローラ軸、３５  後側紙押えローラ、３６  紙送りモータ、３７  前側紙送りローラ、３７ａ  ローラ軸、３８  前側紙押えローラ、４４  記録紙切断装置、５５，５６  側板部分、７１  ベルト・プーリ式動力伝達機構、７２  駆動側歯車、７３  従動側歯車、７４  伝達歯車列、８０  ロール紙繰り出し機構、８１  繰り出しローラ、８２  ローラ連動機構、８３  ローラ軸、８３ａ  軸端部、８４  従動側ローラ、８５  駆動側ローラ、８６  タイミングベルト
【図１】
2007203563.tif 000003
【図２】
2007203563.tif 000004
【図３】
2007203563.tif 000005
【図４】
2007203563.tif 000006
【図５】
2007203563.tif 000007
【図６】
2007203563.tif 000008